(57)【要約】【課題】本発明は既存のトイレットペーパーフォルダーに取付けるだけで片手で切れるトイレットペーパーを提供する。【解決手段】中央に貫通孔が形成された複数のプラスチック製の円錐台からなり、複数配設された円錐台のうち、最も上流側に配置されている円錐台の径が最も大きく、最も下流側に配置されている円錐台の径が最も小さくなるよう設定されており、最も上流に位置する円錐台の最大径は、トイレットペーパーの芯の内径よりも大きくなるよう設定で、片手で切れるトイレットペーパーを構成している【選択図】図１
2020069369.tif 000002
【特許請求の範囲】
【請求項１】
中央に貫通孔が形成された複数のプラスチック製の円錐台からなり、複数配設された円錐台のうち、最も上流側に配置されている円錐台の径が最も大きく、最も下流側に配置されている円錐台の径が最も小さくなるよう設定されており、最も上流に位置する円錐台の最大径は、トイレットペーパーの芯の内径よりも大きくなるよう設定されている軸補助ツール。
【請求項２】
隣り合う円錐台の径の大きさが連続するよう、それぞれの円錐台の最大径および最小径が設定されています。さらに、最も上流に位置する円錐台の最大径は、トイレットペーパーの芯の内径よりも大きくなるよう設定されています。このような径とすることにより、全体として、上流から下流に向けて縮径する形状を呈します。また、最下流の円錐台はゴム製であり、最下流の円錐台のさらに下流にはゴム製の略円筒形状を有する筒状体が配置されています。
【請求項３】
トイレットペーパーの引き出し方向によって、ペーパーを繰り出す動作と切断する動作とを切り換えることが可能なため、両手を使わなくても簡単に両方の動作を行うことができます。
【請求項４】
トイレットペーパーを繰りだす場合は、真っすぐ下に引くことにより、トイレットペーパーはプラスチック製の軸補助ツールの周りをスムーズに回転でき、片手でも容易にトイレットペーパーを繰りだすことができます。
【請求項５】
トイレットペーパーを切断する場合は、ペーパーの端を片手で摘まんで上流側に引くだけで、トイレットペーパーの芯は最上流の円錐台に押し付けられ回転が止まり、トイレットペーパーに刻まれているミシン目に沿ってペーパーを容易に切断することができます。
【請求項６】
中央に貫通孔を備える円錐台からなる構造のため、単純であり、押し付け部材や切断刃など追加の機構を用いることなく所望の効果を得ることができます。
【請求項７】
ゴム製の筒状体を替えることで、様々な太さのトイレットペーパーホルダーの軸に対応することができるため、高い拡張性を備えています。
【発明の詳細な説明】
【技術分野】
【０００１】本発明は、トイレットペーパーを片手で切ることを図ったトイレットペーパーの軸補助ツールに関するものである。
【背景技術】
【０００２】従来のトイレットペーパーの回転を停止する技術は端部に複数の係止手段を有する回転阻止体を設けるようなトイレットペーパーの受け軸自体が特別な機構として作成されている。【０００３】しかしながら、従来のトイレットペーパーの回転を停止する技術は複雑な構造で構成されている点と独立した専用機構のため既存のトイレットペーパーホルダーが活用できないという欠点があった。
【先行技術文献】
【特許文献】
【０００４】
【特許文献１】登録実用新案第３１９２１２４号
【特許文献２】特表２０１０−５１６３７８号公報
【特許文献３】実用新案登録第２５０１９０４号
【発明の概要】
【発明が解決しようとする課題】
【０００５】本発明は、以上のような従来の欠点に鑑み、複雑な機構を単純な構造にすることで解消し、また既存のトイレットペーパーホルダーに汎用的に取り付けるだけで片手で切れるトイレットペーパーの機能を提供することを目的とする。
【課題を解決するための手段】
【０００６】上記目的を達成するために、本発明は、中央に貫通孔が形成された複数のプラスチック製の円錐台からなり、複数配設された円錐台のうち、最も上流側に配置されている円錐台の径がトイレットペーパーの芯の内径よりも大きくなる設定の軸補助ツールで、既存のトイレットペーパーホルダーに取付ける構成である。
【発明の効果】
【０００７】トイレットペーパーの引き出し方向によって、ペーパーを繰り出す動作と切断する動作とを切り換えることが可能なため、両手を使わなくても簡単に両方の動作を行うことができます。【０００８】トイレットペーパーを繰りだす場合は、真っすぐ下に引くことにより、トイレットペーパーはプラスチック製の軸補助ツールの周りをスムーズに回転でき、片手でも容易にトイレットペーパーを繰りだすことができます。【０００９】トイレットペーパーを切断する場合は、ペーパーの端を片手で摘まんで上流側に引くだけで、トイレットペーパーの芯は最上流の円錐台に押し付けられ回転が止まり、トイレットペーパーに刻まれているミシン目に沿ってペーパーを容易に切断することができます。【００１０】中央に貫通孔を備える円錐台からなる構造のため、単純であり、押し付け部材や切断刃など追加の機構を用いることなく所望の効果を得ることができます。【００１１】トイレットペーパーホルダーへの外付けツールであり、既存のトイレットペーパーホルダーを替えることなく継続して使用てきます。
また、ゴム製の筒状体により、様々な太さのトイレットペーパーホルダーの軸に対応することができるため、高い拡張性を備えています。
【図面の簡単な説明】
【００１２】
【図１】トイレットペーパーフォルダーの取付棒に本アイデアツールを差し込みトイレットペーパー（芯）を入れた側面図である。
【図２】本アイデアツールの寸法図面である。
【図３】本アイデアツールの構成部品の特徴を示した図面である。
【図４】本アイデアツールをトイレットペーパーフォルダーの取付棒に差し込んで固定された状態を示す図面である。
【図５】本アイデアツールを取付けた状態による、トイレットペーパーを片手だけで引出しおよびカットする方法を示した図面である。
【発明を実施するための形態】
【００１３】以下、本発明の実施の形態として実施例を図１〜図５に基づいて説明する。
【実施例１】
【００１４】図４は、トイレットペーパーホルダーの軸に図３の本アイデアツール（中央に貫通孔が形成された複数のプラスティック製の円錐台、寸法は図２参照）を差し込み、最も細いゴム製部分で軸に固定された状態である。
【実施例２】
【００１５】図１は、図４のトイレットペーパーホルダーの軸に差し込まれた本アイデアツールにトイレットペーパーを挿入、セットした状態である。
【実施例３】
【００１６】トイレットペーパーホルダーの軸に通す側を上流、最後に当該軸に通す側を下流と定義すると、それぞれの円錐台は径が大きい側が上流、径が小さい側が下流になるよう配置されています。
【実施例４】
【００１７】最も上流側に配置されている円錐台の径が最も大きく、最も下流側に配置されている円錐台の径が最も小さくなるよう設定されています。
【実施例５】
【００１８】隣り合う円錐台の径の大きさが連続するよう、それぞれの円錐台の最大径および最小径が設定されています。
【実施例６】
【００１９】最も上流に位置する円錐台の最大径は、トイレットペーパーの芯の内径よりも大きくなるよう設定されています。
【実施例７】
【００２０】このような径とすることにより、全体として、上流から下流に向けて縮径する形状を呈します。
【実施例８】
【００２１】最下流の円錐台はゴム製であり、最下流の円錐台のさらに下流にはゴム製の略円筒形状を有する筒状体が配置されています。
【実施例９】
【００２２】図５は、トイレットペーパーを引き出す方向により、トイレットペーパーが通常通りスムーズに引き出される状態とトイレットペーパーの回転が停止してカットされる状態を示す。
【産業上の利用可能性】
【００２３】トイレでスマホなどで片手がふさがっている時に片手だけでトイレットペーパーを切ることが可能となる【００２４】お年寄りや手の不自由な人にとって、片手だけでトイレットペーパーを切ることが可能となる
【図１】
2020069369.tif 000003
【図２】
2020069369.tif 000004
【図３】
2020069369.tif 000005
【図４】
2020069369.tif 000006
【図５】
2020069369.tif 000007